(57)【特許請求の範囲】
【請求項１】
長方形のケース状のヨークの内部に、長方形状の磁性体基板と、該磁性体基板表面側の対角線に沿って配置される第１の線路導体と、該磁性体基板表面側の別の対角線に沿って配置される第２の線路導体と、該磁性体基板表面側の中央部に沿って配置される第３の線路導体と、前記磁性体基板の側方に配置される長方形状の複数のコンデンサ基板と、前記磁性体基板に対して磁界を印加するための磁石部材とが具備されてなり、
前記第１の線路導体の先端に設けられた第１の線路導体の先端導体が、前記磁性体基板の一方の長辺側の一側端部において前記第１の線路導体の向きから方向を変えられて前記磁性体基板の短辺の延長線とヨーク内面に沿って設けられ、前記第２の線路導体の先端に設けられた第２の線路導体の先端導体が、前記磁性体基板の一方の長辺側の他側端部において前記第２の線路導体の向きから方向を変えられて前記磁性体基板の別の短辺の延長線とヨーク内面に沿って設けられ、前記複数の線路導体の各端部が前記コンデンサ基板に接続されてなり、
前記磁性体基板の長辺に沿って前記磁性体基板の両側に前記コンデンサ基板が収納され、前記磁性体基板の短辺方向において、前記磁性体基板の幅が、前記ヨークの内幅よりも小さくなるように、磁性体基板の縦横比が２５％（１：４）以上、８０％（４：５）以下の範囲で形成され、
前記磁性体基板の長辺方向において、磁性体基板の長さと前記ヨークの内幅がほぼ同じであることを特徴とする非可逆回路素子。
【請求項２】
前記磁性体基板の幅方向両側に配置された２つの前記コンデンサ基板のうち、一方の前記コンデンサ基板が前記複数の線路導体に接続された共通のコンデンサ基板とされ、該コンデンサ基板の両端部のうちの一方の端部に前記第１の線路導体の先端導体が、他方の端部に前記第２の線路導体の先端導体が接続されたことを特徴とする請求項１に記載の非可逆回路素子。
【発明の詳細な説明】
【０００１】
【発明の属する技術分野】
本発明は、マイクロ波帯などの高周波帯域で使用されるアイソレータ、サーキュレータ等、非可逆回路素子に関する。
【０００２】
【従来の技術】
この種のアイソレータに用いられている非可逆回路素子は、例えば図１４に示す構造の磁性組立体５０が備えられている。この磁性組立体５０は、矩形板状のフェライトからなる磁性体基板５５と、その下面に添わせて設けられた金属板からなる共通電極５４と、この共通電極５４から放射状に３方向に延出形成されて磁性体基板５５の表面側に巻き掛けられた第１の中心導体５１と第２の中心導体５２と第３の中心導体５３とから構成されている。
前記第１の中心導体５１と第２の中心導体５２と第３の中心導体５３は互いに磁性体基板５５の隅に沿って折り曲げられ、磁性体基板５５の表面側において互いに略１２０゜の交差角度でもって重ねられている。なお、図面では省略されているが、中心導体５１、５２、５３どうしは絶縁シートにより磁性体基板５５の表面側において個々に絶縁されている。
【０００３】
先の３つの中心導体５１、５２、５３の先端部側は磁性体基板５５の側方に突出するように配置されて各ポート部Ｐ１、Ｐ２、Ｐ３とされている。そして、各ポート部Ｐ１〜Ｐ３に図示略の整合用のコンデンサを接続し、ポート部の１つに先のコンデンサを介して終端抵抗を接続し、これらを永久磁石とともに磁気回路を構成する磁性体ヨーク内に収納し、磁性組立体５０に別途配置した永久磁石で直流磁界を印加できる構成とすることでアイソレータが構成される。
前述の各中心導体５１〜５３は、図１５の展開図で示すようにアース部となる共通電極５４において連設一体化され、共通電極５４から３方向に突出形成されていて、これらの中心導体５１〜５３は前記磁性体基板５５に対して所定の角度で精度良く組み付けられるように図１５の折曲部Ｘの位置において屈曲されるように構成されている。
【０００４】
図１６に先の種類の磁性組立体を備えた一般的なアイソレータの一構造例を示す。図１６に示すアイソレータ６０は、下ケース６１と上ケース６２との間に磁石部材６３とスペーサ部材６４と磁性組立体６５とコンデンサ基板６６、６７、６８と終端抵抗６９と基板７０とを介在させて構成されている。この例の磁性組立体６５は先の例の磁性組立体５０と同様に、磁性体基板７２とそれを囲んで配置された中心導体７３、７４、７５とから構成され、各中心導体７３、７４、７５がスリットにより個々に２分割されている。なお、この例では磁性体基板７２が円盤型とされているが、磁性体基板はこの例のような円盤型であっても先の例のような長方形板状であっても差し支えない。
また、前記基板７０の上には、薄板状のコンデンサ基板６６、６７、６８がコ字型に配置され、これらコンデンサ基板６６、６７、６８の内側に磁性組立体６５が配置され、磁性組立体６５の中心導体７３、７４、７５の各端部７３ａ、７４ａ、７５ａが磁性体基板７２の側方に延出されていて、各端部７３ａ、７４ａ、７５ａがそれらの下に位置するコンデンサ基板６６、６７、６８に半田付けされて接合されている。また、これらの上側には、凸部６４ａ、６４ａを有する板状のスペーサ部材６４が配置され、そのスペーサ部材６４の上に磁石部材６３が配置されている。
【０００５】
【発明が解決しようとする課題】
前記従来構成のアイソレータ６０にあっては、磁性組立体６５を組み立ててから基板７０の中心部に配置し、磁性組立体６５から側方に突出された各端部７３ａ、７４ａ、７５ａをスペーサ部材６４の各凸部６４ａでコンデンサ基板上に押さえ付け、このスペーサ部材６４で押さえ付けた状態で半田付けのためのリフロー法により溶融半田に全体を浸漬して各端部７３ａ、７４ａ、７５ａとコンデンサ基板６７、６６、６８とを半田付けする関係から、スペーサ部材６４を２６０℃程度の温度で数秒間耐える液晶ポリマー等の耐熱性の樹脂から構成している。
【０００６】
ところで図１６に示すアイソレータ６０にあっては、磁性組立体６５において３本の中心導体７３、７４、７５が磁性体基板７２の上面側中心部分で重ねられているために、磁性体基板７２の上面側中心部分に中心導体７３、７４、７５が重ねられて山状に盛り上がった部分が生じている。これらの中心導体７３、７４、７５は、金属薄板の打ち抜き材からなり、ある程度の厚みを有するが、中心導体７３、７４、７５が３本重ねられた部分は山状に盛り上がった部分として磁性体基板７２上に形成され、中心導体７３、７４、７５が磁性体基板７２の上面に対して密着されずに単に軽く巻かれただけの状態とされていた。
【０００７】
ところが、磁性体基板７２に対する中心導体７３、７４、７５の密着状態はアイソレータとしての損失増大に関係があり、例えば、３本の中心導体７３、７４、７５が山状に重ねられた部分においては、磁性体基板７２に最も近い側の中心導体に対して磁性体基板７２から最も離れた側の中心導体の線路長が相対的に長くなってしまう問題があり、このように中心導体どうしの実効的な線路長が異なるようでは、損失が増大してアイソレータとして設計通りの性能を発揮させることが難しいという問題があった。また、中心導体７３、７４、７５が複数重なる部分では、中心導体の底面側の平坦度を確保し難いという問題も有している。
また、中心導体７３〜７５による山状の重なり部分が磁性体基板７２の上に存在するということは、それらの上に重ねられるスペーサ部材６４と磁石部材６３の平行度を高めることが難しいということも意味しており、磁石部材６３によって磁性体基板７２に磁界を印加する場合に均一な磁界を印加できなくなるおそれもあった。
また、この種のアイソレータは近年の高周波回路の小型化に伴い、全体として４〜５ｍｍ角程度の大きさに形成されるようになってきているが、このような微細な部品において先の中心導体７３〜７５の山状の重なり部分を生じることでアイソレータ全体としての薄型化の推進に悪影響を及ぼすおそれもある。
【０００８】
本発明は以上の背景に基づいてなされたもので、磁性体基板に対して線路導体あるいは中心導体を緊密に巻き付けて磁性組立体を得ることができ、よって特性が良好な非可逆回路素子とアイソレータを提供することを目的の１つとする。
本発明は、磁性体基板の周囲に配する線路導体の山状の重なり部分をできるだけ小さくすることでスペーサ部材を介して配置する磁石部材と磁性体基板との平衡度を確保し、よって特性が良好な非可逆回路素子とアイソレータを提供することを目的の１つとする。
【０００９】
【課題を解決するための手段】
本発明は前記課題を解決するために、長方形のケース状のヨークの内部に、長方形状の磁性体基板と、該磁性体基板表面側の対角線に沿って配置される第１の線路導体と、該磁性体基板表面側の別の対角線に沿って配置される第２の線路導体と、該磁性体基板表面側の中央部に沿って配置される第３の線路導体と、前記磁性体基板の側方に配置される長方形状の複数のコンデンサ基板と、前記磁性体基板に対して磁界を印加するための磁石部材とが具備されてなり、前記第１の線路導体の先端に設けられた第１の線路導体の先端導体が、前記磁性体基板の一方の長辺側の一側端部において前記第１の線路導体の向きから方向を変えられて前記磁性体基板の短辺の延長線とヨーク内面に沿って設けられ、前記第２の線路導体の先端に設けられた第２の線路導体の先端導体が、前記磁性体基板の一方の長辺側の他側端部において前記第２の線路導体の向きから方向を変えられて前記磁性体基板の別の短辺の延長線とヨーク内面に沿って設けられ、前記複数の線路導体の各端部が前記コンデンサ基板に接続されてなり、前記磁性体基板の長辺に沿って前記磁性体基板の両側に前記コンデンサ基板が収納され、前記磁性体基板の短辺方向において、前記磁性体基板の幅が、前記ヨークの内幅よりも小さくなるように、磁性体基板の縦横比が２５％（１：４）以上、８０％（４：５）以下の範囲で形成され、前記磁性体基板の長辺方向において、磁性体基板の長さと前記ヨークの内幅がほぼ同じであることを特徴とする。
【００１０】
長方形状のケース状のヨークの内部に該ヨークよりも幅の小さい長方形状の磁性体基板を設け、その幅方向両側に長方形状のコンデンサ基板を収納してなるので、ヨーク内部の磁性体基板の周りの空間部にコンデンサ基板を収容することができる。
【００１１】
本発明は前記課題を解決するために、前記磁性体基板の幅方向両側に配置された２つの前記コンデンサ基板のうち、一方の前記コンデンサ基板が前記複数の線路導体に接続された共通のコンデンサ基板とされ、該コンデンサ基板の両端部のうちの一方の端部に前記第１の線路導体の先端導体が、他方の端部に前記第２の線路導体の先端導体が接続されたことを特徴とする。
【００１２】
共通のコンデンサ基板とすることで必要とする容量を小さなコンデンサ占有面積で稼ぐことができる。
【００２０】
【発明の実施の形態】
以下に本発明を更に詳細に説明する。
図１〜図６は本発明に係る非可逆回路素子の一例であるアイソレータの第１の実施の形態を示すもので、この形態のアイソレータ１は、上ヨーク２と下ヨーク３とからケース状に構成されたヨーク（閉磁気回路）内に、永久磁石などからなる磁石部材４と強磁性体からなる磁性体基板５と線路導体６、７、８とこれら線路導体６、７、８を接続した共通電極１０と磁性体基板５の周囲に配置されたコンデンサ基板１１、１２と終端抵抗（抵抗素子）１３とを備えて構成されている。
【００２１】
前記上ヨーク２と下ヨーク３は軟鉄などの強磁性体からなり、図４と図５に示すように４角形状のケース状に形成されている。なお、それらヨークの表裏面にはＡｇメッキなどの導電層が被覆形成されていることが好ましい。また、側面視略コ字型の上ヨーク２は側面視略コ字型の下ヨーク３に嵌め込み自在の大きさとされており、上ヨーク２と下ヨーク３の互いの開口部分を嵌め合わせることで両者を一体としてケース状のヨーク（磁気閉回路）を構成することができるように構成されている。
即ち、下ヨーク３は図４に示すように平面視矩形状の底板３ａとこの底板３ａの相対向する２辺側に立設された側壁部３ｂとから構成される側面コ字型に形成されるとともに、上ヨーク２は図５に示すように平面矩形状の天板２ａとこの天板２ａの相対向する２辺側に立設された側壁部２ｂとから構成される側面コ字型に形成され、上ヨーク２の側壁部２ｂ、２ｂと下ヨーク３の側壁部３ｂ、３ｂとを互い違いに配置してヨーク２、３を嵌め合わせることでケース状の磁気閉回路が構成されてるように形成されている。なお、これらのヨーク２、３の形状はこの実施形態の如くコ字型に限るものではなく、複数のヨークでケース状の閉磁器回路を構成するものであれば、任意の形状で差し支えない。
【００２２】
前記の如く嵌め合わされた下ヨーク２と上ヨーク３が囲む空間には、換言すると下ヨーク２と上ヨーク３からなる閉磁気回路内には、先の磁性体基板５と３本の線路導体６、７、８とこれら線路動体６、７、８を接続した共通電極１０とからなる磁性組立体１５が収納されている。
前記磁性体基板５は、フェライト等の強磁性体からなり、図２に示すように平面視横長の略長方形板状とされている。より詳細には磁性体基板５は、相対向する横長の２つの長辺５ａ、５ａと、これらの長辺５ａ、５ａに直角向きの短辺５ｂ、５ｂと、前記長辺５ａ、５ａの両端部側に位置して各長辺５ａに対して１５０゜の角度で傾斜し（長辺５ａの延長線に対しては３０°の傾斜角度で傾斜し）、個々に先の短辺５ｂに接続する４つの傾斜辺５ｃとから構成される平面視横長の略長方形状とされている。従って磁性体基板５の平面視４つのコーナ部には、それぞれ長辺５ａに対する１５０°傾斜（短辺５ｂに対して１３０°傾斜）の傾斜面（受面）５ｄが形成されている。
【００２３】
また、この磁性体基板５においては、その横方向、即ち長手方向の幅と、その縦方向、即ち長手方向に直交する方向の幅との比、即ち縦横比が２５％（１：４）以上、８０％（４：５）以下の範囲、即ち平面視横長であることが好ましい。
なお、ここで、図１に示すものは平面視横長の磁性体基板５であるが、図１を９０゜回転させた横方向から見ると、磁性体基板５は縦長形状となる。よって本発明では、磁性体基板５は横長形状でも縦長形状でも全く等価のものと考える。
【００２４】
先の３本の線路導体６、７、８と共通電極１０は図３の展開図に示すように一体化されてなり、３本の線路導体６、７、８と共通電極１０とを主体として電極部１６が構成されている。この共通電極１０は、平面視先の磁性体基板５とほぼ相似形状の金属板からなる本体部１０Ａから構成されている。即ち、本体部１０Ａは相対向する２つの長辺部１０ａ、１０ａと、これらの長辺部１０ａ、１０ａに直角向きの短辺部１０ｂ、１０ｂと、前記長辺部１０ａ、１０ａの両端部側に位置して各長辺部１０ａに対して１５０°の角度で傾斜し、先の短辺部１０ｂに対しては１３０°の傾斜角度で接続する４つの傾斜部１０ｃとから構成される平面視略長方形（矩形状）とされている。
【００２５】
そして、先の共通電極１０の４つのコーナ部の傾斜部１０ｃのうち、一方の長辺部側の２つの傾斜部１０ｃから第１の線路導体６と第２の線路導体７が延出形成されている。まず、先の２つの傾斜部１０ｃの一方から、第１の基部導体６ａと第１の中心導体６ｂと第１の先端部導体６ｃからなる第１の線路導体６が延出形成される一方、先の傾斜部１０ｃの他方から、第２の基部導体７ａと第２の中心導体７ｂと第２の先端部導体７ｃとからなる第２の線路導体７が延出形成されている。前記基部導体６ａ、７ａはいずれも傾斜部１０ｃを延長するように傾斜部１０ｃと同じ幅に形成されていて、基部導体６ａ、７ａはそれらの中心軸線を共通電極１０の長辺部１０ａに対して１５０゜の傾斜角度で傾斜させて設けられている。次に、前記中心導体６ｂ、７ｂはいずれも共通電極１０の短辺部１０ｂに対して平行に、換言すると基部導体６ａ、７ａの中心軸線（長さ方向）に対して１５０゜の傾斜角度で形成され、更に先端部導体６ｃ、７ｃはいずれも共通電極１０の長辺部１０ａに対して１５０゜傾斜とされている。
これらのことから、接続導体６ａ、７ａの中心軸線どうしがなす角度θ１は図３に示すように６０°とされており、先端部導体６ｃ、６ｃの中心軸線どうしがなす角度θ２は図３に示すように１２０゜とされている。
【００２６】
次に、前記第１の線路導体６の幅方向中央部には、共通電極１０の外周部から基部導体６ａと中心導体６ｂを通過し先端部導体６ｃの基端部まで到達するスリット部１８が形成され、このスリット部１８を形成することにより中央部導体６ｂが２本の分割導体６ｂ１、６ｂ２に分割され、基部導体６ａも２本の分割導体６ａ１、６ａ２に分割され、前記第２の線路導体７の幅方向中央部にも同様のスリット部１９が形成され、このスリット部１９を形成することにより中央部導体７ｂが２本の分割導体７ｂ１、７ｂ２に分割され、基部導体７ａも２本の分割導体７ａ１、７ａ２に分割されている。
前記スリット部１８の共通電極１０側の端部は接続導体６ａを通過して共通電極１０の外周部から若干深い位置まで到達することで凹部１８ａを形成し、第１の線路導体６の線路長を若干長くしているとともに、前記スリット部１９の共通電極１０側の端部も接続導体７ａを通過して共通電極１０の外周部まで到達することで凹部１９ａを形成し、第２の線路導体７の線路長を若干長くしている。
【００２７】
一方、前記共通電極１０の他方の長辺部１０ａ側の中央部に第３の線路導体８が延設されている。この第３の線路導体８は共通電極１０から突出形成された第３の基部導体８ａと第３の中心導体８ｂと第３の先端部導体８ｃとから構成されている。前記第３の基部導体８ａは、共通電極１０の長辺側中央部からほぼ直角に延出形成された２本の短冊状の分割導体８ａ１、８ａ２からなり、２本の分割導体８ａ１、８ａ２の間にはスリット２０が形成されている。前記第３の中心導体８ｂは、先の分割導体８ａ１に接続する平面視Ｌ字状の分割導体８ｂ１と先の分割導体８ａ２に接続する平面視Ｌ字状の分割導体８ｂ２とからなり、分割導体８ｂ１と分割導体８ｂ２は、これら分割導体８ａ１、８ａ２の実質的な導体長を長くするために、互いの中央部を離間するようにして分割導体８ａ１、８ａ２から延設され、分割導体８ｂ１と８ｂ２とから菱形の中心導体８ｂが構成されている。
【００２８】
更に、これらの分割導体８ｂ１、８ｂ２の先端側はＬ字型の第３の先端部導体８ｃに一体化されている。この第３の先端部導体８ｃは、先の分割導体８ｂ１、８ｂ２を一体化して先の分割導体８ａ１、８ａ２と同じ方向に向けて延出形成された接続部８ｃ１とこの接続部８ｃ１に対してほぼ直角方向に延出形成された接続部８ｃ２とから構成されている。
【００２９】
次に、前記共通電極１０の一方の長辺部１０ａ側において、第３の線路導体８の分割導体８ａ１、８ａ２の両側部分には、共通電極１０の長辺部１０ａを一部切り欠く形で３つの凹部１０ｅが形成され、これらの凹部１０ｅを形成することで第３の線路導体８の線路長が若干長くされている。更に、前記共通電極１０の一方の長辺部１０ａにおいて３つの凹部１０ｅのうちの両側２つの凹部１０ｅの外側、換言すると凹部１０ｅと傾斜部１０ｃとの間の部分に、先の分割導体８ａ１、８ａ２と平行な向きに台形型の支持片２１が延出形成されるとともに、共通電極１０の他方の長辺部１０ａ側の中央部にも平面視長方形状の支持片２２が延出形成されている。これら支持片２１、２２はコンデンサ基板１１、１２のアース電極とされており、コンデンサ基板１１、１２の一面に電気的に接続され、更に他面側は後述するように各先端部導体６ｃ、７ｃ、８ｃと電気的に接続されている。
【００３０】
前記の如く構成された共通電極１０は、その本体部１０Ａを磁性体基板５の裏面側（一面側）に添わせ、第１の線路導体６と第２の線路導体７と第３の線路導体８とを磁性体基板５の表面側（他面側）に折り曲げて磁性体基板５に装着され、磁性体基板５とともに磁性組立体１５を構成している。即ち、第１の線路導体６の分割導体６ａ１、６ａ２を磁性体基板５の１つの傾斜面５ｄの縁に沿って折り曲げ、第２の線路導体７の分割導体７ａ１、７ａ２を磁性体基板５の他の１つの傾斜面５ｄの縁に沿って折り曲げ、第３の線路導体８の分割導体８ａ１、８ａ２を磁性体基板５の長辺５ａの縁に沿って折り曲げ、第１の線路導体６の中心導体６ａを磁性体基板５の表面側（他面側）に磁性体基板表面側の対角線に沿って添わせ、第２の線路導体７の中心導体７ｂを磁性体基板５の表面側（他面側）に磁性体基板表面の対角線に沿って添わせ、更に第３の線路導体８の中心導体８ｂを磁性体基板５の表面部の中央部分に沿って添わせることで共通電極１０が磁性体基板５に装着されて磁性組立体１５とされている。
【００３１】
なお、ここで記載されている対角線とは、図２に示すように磁性体基板５を平面視した場合に、各長辺５ａと各短辺５ｂとの延長線が交わる位置を略長方形状の磁性体基板５の頂点と仮定し、これら４つの頂点のうち、対向する頂点どうしを結ぶ線分を対角線Ｌ１、Ｌ２と定義する。
更に、前記導体部８ｂ１、８ｂ２は磁性体基板５の表面側に配置されるが、磁性体基板５の表面側に添わせられる分割導体８ｂ１あるいは分割導体８ｂ２の長さは図２に示す磁性体基板５の縦幅（横長長方形状の磁性体基板５の幅方向に沿う幅）の１０５％以上とすることが好ましい。このようにすることで分割導体８ｂ１、８ｂ２の実質的な導体長を長くして非可逆回路素子としての低周波化と小型化を両立させることが可能となる。
【００３２】
以上のように第１〜第３の線路導体６、７、８を磁性体基板５の表面側に装着することで、図１Ａに示すように第１の線路導体６と第２の線路導体７は個々に磁性体基板５の対角線Ｌ１、Ｌ２に沿って重ねて配置され、第１の中心導体６ｂと第２の中心導体７ｂは磁性体基板５の表面上において平面視１２０゜の傾斜角度で交差されて重ねられている。また、第１〜第３の中心導体６ｂ、７ｂ、８ｂの重なり状態において、第１の中心導体６ｂの分割導体６ｂ１、６ｂ２と、第２の中心導体７ｂの分割導体７ｂ１、７ｂ２とが重ねられた部分は、磁性体基板５の表面側において平面視的に全て位置ずれされて配置され、分割導体６ｂ１、６ｂ２と分割導体７ｂ１、７ｂ２とが重ねられた部分は磁性体基板５の表面上において重ならないように配置されている。
【００３３】
さらに、分割導体６ｂ１、６ｂ２と分割導体７ｂ１、７ｂ２とが重ねられた部分に対してこれらの部分を避けるように第３の中心導体８ｂの分割導体８ｂ１、８ｂ２が配置されている。従って、磁性体基板５の表面上において、分割導体６ｂ１、６ｂ２と分割導体７ｂ１、７ｂ２と分割導体８ｂ１、８ｂ２がこれらの組み合わせのうち、２本重なって配置されることはあっても、３本が重ねられる部分は生じないように配置されている。
なお、図１（Ａ）では略したが、磁性体基板５と第１の線路導体６と第２の線路導体７と第３の線路導体８との間には各々に図１（Ｂ）に簡略的に示すように絶縁シートＺが介在されて各線路導体６、７、８は個々に電気的に絶縁されている。
【００３４】
次に、前記磁性組立体１５は下ヨーク３の底部中央側に配置され、下ヨーク３の底部側の磁性組立体１５の両側部分には平面視細長で先の磁性体基板５の半分程度の厚さの板状のコンデンサ基板１１、１２が収納され、コンデンサ基板１２の一側部側には終端抵抗１３が収納されている。より詳細には、先の磁性組立体１５の磁性体基板５の長さが下ヨーク３の内幅とほぼ同じに形成され、磁性体基板５の幅（長手方向に直交する方向の幅）が下ヨーク３の内幅よりも小さく形成されているので、磁性体基板５を下ヨーク３の内部に図１に示すように平面視横長になるように収納した状態において、磁性体基板５の幅方向両側には図１に示すようにコンデンサ基板１１、１２を収納可能な空間部が形成され、それらの空間部に薄板型のコンデンサ基板１１、１２とチップ状の終端抵抗（抵抗素子）１３が収納されている。
更に、コンデンサ基板１１の下側には共通電極１０の支持片２１、２１が配置され、電気的に接続されるとともに、コンデンサ基板１２の下側には共通電極１０の支持片２２が配置され、電気的に接続されている。
【００３５】
そして、先の第１の線路導体６の先端部導体６ｃを先のコンデンサ基板１１の一側端部に形成されている電極部１１ａに電気的に接続し、先の第２の線路導体７の先端部導体７ｃを先のコンデンサ基板１１の他側端部に形成されている電極部１１ｂに電気的に接続し、先の第３の中心導体８の先端部導体８ｃをコンデンサ基板１２と終端抵抗１３に電気的に接続して磁性組立体１５にコンデンサ１１、１２と終端抵抗１３とが接続されている。なお、この終端抵抗１３を接続しなければ、サーキュレータとして作用する。
【００３６】
前記先端部導体７ｃの部分が接続されたコンデンサ基板１１の端部側にアイソレータ１としての第１ポートＰ１が形成され、先端部導体６ｃの部分が接続されたコンデンサ基板１１の端部側にアイソレータ１としての第２ポートＰ２が形成され、先端部導体８ｃの部分が接続された終端抵抗１３の端部側がアイソレータ（非可逆回路素子）１としての第３ポートＰ３とされている。
【００３７】
この形態のアイソレータ１において、アイソレータの特性と、小型化を両立させるために第１ポートＰ１と第２ポートＰ２に沿う方向に平行な方向のコンデンサ基板１１の長手をアイソレータ１全体の同方向の長手（換言すると、下ヨーク３の同方向の長さ）の６５％以上、１００％以下とすることが好ましい。この範囲の長さの中でも７５％以上、１００％以下であることがより好ましい。
次に第１ポートと第２ポートに沿う方向に直交する方向においては、コンデンサ基板１１の幅がアイソレータ１全体の同方向の長さの（換言すると下ヨーク３の同方向の長さの）１５％以上、４５％以下であることが好ましい。この範囲の幅の中でも３０％以上、４５％以下であることがより好ましい。
【００３８】
また、下ヨーク３と上ヨーク２との間の空間部において磁性組立体１５はその空間部の厚さの半分程を占有する厚さに形成されているので、磁性組立体１５よりも上ヨーク２側の空間部分には、図６にも示すスペーサ部材３０が収納され、該スペーサ部材３０に磁石部材４が設置されている。
先のスペーサ部材３０は、上ヨーク２の内部に収納可能な大きさの平面視矩形板状の基板部３１と、この基板部３１の底部側の４隅の各コーナ部分に形成された脚部３１ａとからなり、基板部３１において脚部（凸部）３１ａ…が形成されていない側の面（上面）に円型の収納凹部３１ｂが形成され、該収納凹部３１ｂの底面側には基板部３１を貫通する矩形型の透孔３１ｃが形成されている。
【００３９】
そして、先の収納凹部３１ｂに円盤状の永久磁石からなる磁石部材４が嵌め込まれ、この磁石部材４を備えた状態のスペーサ部材３０がそれらの４つの脚部（凸部）３０ａで先のコンデンサ基板１１、１２とこれらに接続されている第１の先端部導体６ｃ、７ｃ、並びに、終端抵抗１３とこれに接続されている先端部導体８ｃの先端部を下ヨーク３の底部側に押さえ付け、スペーサ部材３０により磁性組立体１５を下ヨーク３の底面側に押さえ付けた状態でヨーク２、３の間に収納されている。
なお、スペーサ部材３０の４つの脚部３１ａにより先のように先端部導体６ｃ、７ｃ、８ｃを押さえ付けることにより第１の線路導体６と第２の線路導体７と第３の線路導体８とに張力を付加した状態でこれらを磁性体基板５の表面側に押さえ付けていると同時に、スペーサ部材３０の透孔３１ｃを介して磁石部材４の底面により先の第１の線路導体６と第２の線路導体７と第３の線路導体８の重ねられた部分を押さえ付けることでこれらを磁性体基板５の表面側に押さえ付け、これらにより先の線路導体６、７、８を磁性体基板５の表面側に密に押し付けて密着させている。
なお、先の透孔３１ｃの大きさは先の磁性体基板５よりも若干小さい矩形状、換言すると、線路導体６、７、８が重ねられた領域を取り囲むことができる程度の大きさとされている。透孔３１ｃをこのような大きさとすることにより磁石部材４がその底面で線路導体６、７、８の重なり部分を全て磁性体基板５側に押さえ付けることができるとともに、スペーサ部材３０の基板部３１の底面により磁性体基板５を下ヨーク３の底面側に押し付けることができる。
【００４０】
図１〜図６に示す本実施の形態のアイソレータ１は、第１の線路導体６と第２の線路導体７がいずれも磁性体基板５の平面状の受面５ｄ、５ｄを介して折り曲げられ、第３の線路導体８が磁性体基板５の長辺５ａに沿って折り曲げられているので、各線路導体６、７、８における中心導体６ｂ、７ｂ、８ｂの折り曲げ部分が磁性体基板５の表面側において正確な角度、例えば第１の線路導体６と第２の線路導体７においては１２０゜の角度に折り畳まれる。即ち、平面状の受面５ｄの縁の直線部分を介しての折り畳み作業となるので、中心導体６ｂ、７ｂを磁性体基板５の表面側において正確に１２０゜の角度で交差させて折曲することが容易にできるようになる。従って、入力側の線路導体から磁性体基板５に入力された信号を出力側に効果的に伝搬させることができ、低損失でしかも広帯域な通過特性を発揮できる。従って磁性組立体１５の磁気特性として好適なものが確実に得られるようになる。
【００４１】
また、磁性体基板５の表面側に折り畳まれた中心導体６ｂ、７ｂ、８ｂは図１に示すように重ねられるが、この重ねた状態において、中心導体６ｂ、７ｂ、８ｂの各々において２本に分割されている分割導体６ｂ１、６ｂ２、７ｂ１、７ｂ２、８ｂ１、８ｂ２の各々が個々に重ねられる。しかし、これらの分割導体６ｂ１、６ｂ２、７ｂ１、７ｂ２、８ｂ１、８ｂ２の重ねられた部分においてはいずれかの２つの分割導体のみの重ね部とされ、３つの分割導体が重ねられてはいない。これは、２本の中心導体６、７を２分割した上に、中心導体８ｂを広げた状態の２分割構造として中心導体６ｂ、７ｂに対する重ね部分を避けることができるように重ねた構造としたためである。
【００４２】
このように重ねた構造にすることで３つの分割導体が重なることを避けることができ、これにより磁石部材４の底部で中心導体６ｂ、７ｂ、８ｂを磁性体基板５側に押し付ける際に中心導体６ｂ、７ｂ、８ｂの重なり部分を均一に押さえ付けることができる。ここで例えば、分割導体が３本重なる部分が生じると、分割導体が２本重なった部分よりも３本重なった部分の方が厚くなるので、この３本重なった部分には磁石部材４の強い押し付け力が作用する反面、他の２本重なった部分には磁石部材４の押し付け力が十分に作用しなくなるので、中心導体６ｂ、７ｂ、８ｂに均等に押さえ付け力を作用させてこれらの全てを均等に支持することができなくなるおそれが高くなる。
また、２つの分割導体が重ねられる部分のみが存在することにより、これを押さえ付けている磁石部材４を磁性体基板５に対して平行に配置することができ、この結果、磁石部材４によって磁性組立体１５に磁界を印加する場合に均一な磁界を作用させることができ、非可逆回路素子としての性能向上に寄与する。
【００４３】
更に、仮に３つの分割導体が重ねられた場合、磁性体基板５に最も近い側の分割導体と磁性体基板５から最も離れた側の分割導体の比較では、磁性体基板５から最も離れた側の分割導体が大きく膨らんだ状態で磁性体基板５の表面側に存在することとなるので、磁性体基板５の表面上に存在する分割導体の実効的な線路長の差異が大きくなる。これに対して分割導体どうしが２本重なる部分を形成するのみでは、重なり構造を採用する場合において最外層と最内層の分割導体の実効的な線路長の差異が最も小さくなる。このように２つの分割導体のみを重ねる構成を採用することで、分割導体の磁性体基板側の底面を概ね５０％以上、確実に磁性体基板５に密着させることができる。このように分割導体を磁性体基板５に密着させることにより、分割導体での信号の伝搬を安定に行うことができ、特性のばらつきを抑えることができる。
【００４４】
また、前述の如く中心導体８ｂの分割導体８ｂ１、８ｂ２を非平行もしくは平行でかつ折曲もしくは湾曲するように分割したことにより、入力側の線路導体から入力された信号を効果的に高周波フェライト製の磁性体基板５上を伝搬させ、出力することができ、広帯域な通過特性を発揮させることができる。
また、低周波化するためには各線路導体６、７、８を長くしてインダクタンスを大きくする必要があるが、本発明においては、第３の中心導体８ｂにおいて、第３の線路導体８が長さ方向中央部側において互いに離れる方向に折曲（屈曲）もしくは湾曲されてなるが、もしくは、互いに平行でかつ折曲もしくは湾曲されてなるが、これにより第３の線路導体８の長さが実質的に長くなって、インダクタンスが大きくなり、低周波化と小型化を両立することができる。
【００４５】
次に、本実施の形態では電極部１６の本体部１０Ａを磁性体基板５とほぼ同じ平面視形状としてあるが、このようにすることで本体部１０Ａがその下に位置する下ヨーク３に広い面積で接触できるので抵抗が低くなり、損失を小さくすることができる。
【００４６】
次に、先に説明したごとく第１の線路導体６と第２の線路導体７と第３の線路導体８の各々の付け根の部分には、凹部１８ａ、１９ａ、１０ｅが形成されており、各線路導体の線路長が若干長くされているので、各中心導体６、７、８のインダクタンスが大きくなり、共振容量の面積を小さくできる、換言するとコンデンサ基板１１、１２の面積を小さくできる効果があり、アイソレータ１としての全体の小型化に寄与する。
【００４７】
次に、磁石部材４はその底部で線路導体６、７、８の交差部分を磁性体基板５の上面側に押さえ付けてそれらを磁性体基板５の上面側に強く押さえ付ける。これにより、線路導体６、７、８の底面、換言すると、各分割導体６ｂ１、６ｂ２の底面（磁性体基板側の面）と分割導体７ｂ１、７ｂ２の底面（磁性体基板側の面）と分割導体８ｂ１、８ｂ２の底面（磁性体基板側の面）を全て密に磁性体基板５側に押し付けることができる。その結果、各線路導体６、７、８の底面側の平坦度を向上させることができ、特性の均一化に寄与する。
【００４８】
次に、本実施の形態の構造においては、共通電極１０の支持片２１にコンデンサ基板１１の下面が接続され、共通電極１０の支持片２２にコンデンサ基板１２の下面が接続されているので、本実施の形態の構造を簡略的に見ると図８Ａに示すように下ヨーク３上に共通電極１０の本体部１０Ａが設置され、共通電極１０の第１又は第２ポートＰ１、Ｐ２と支持片２１との間にコンデンサ基板１１を介在させた構造とみなすことができる。ここで下ヨーク３が接地されているとすると、コンデンサ基板１１は下ヨーク３にアースされる共通電極１０の本体部１０Ａと先の第１、第２ポートＰ１、Ｐ２との間に介在されることとなる。
これに対し、仮に図７Ｂに示す構造のように支持片２１が形成されていない場合、コンデンサ基板１１は下ヨーク３と第１、第２ポートＰ１、Ｐ２との間に設けられていることとなる。
図７Ａと図７Ｂに示す構造を比較すると、図７Ｂの構造ではコンデンサ基板１１のグランド側が下ヨーク３に接地されているので、信号経路の一部が高電気抵抗となるのに対し、図７Ａに示すようにコンデンサ基板１のアース側に共通電極１０の支持片２１が接続されていることで信号経路全体が低い電気特性となるので、非可逆回路素子としての損失を低減することができる。
【００４９】
図８Ａは、先の実施の形態のアイソレータ１が組み込まれる携帯電話装置の回路構成の一例を示すもので、この例の回路構成においては、アンテナ４０にアンテナ共振器４１が接続され、アンテ共振器４１の出力側にローノイズアンプ（増幅器）４２とフィルタ４８と選択回路４３を介して受信回路４４が接続され、アンテナ共振器４１の入力側に先の実施の形態のアイソレータ１とパワーアンプ（増幅器）４５と選択回路４６を介して送信回路４７が接続され、選択回路４３、４６に分配トランス４９が接続されて構成されている。
先の構成のアイソレータ１は図８Ａに示すような携帯電話装置の回路に組み込まれて使用され、アイソレータ１からアンテナ共振器４１側への信号は低損失で通過させるが、その逆方向の信号は損失を大きくして遮断するように作用する。これにより、増幅器４５側のノイズ等の不要な信号を増幅器４５側に逆入力させないという作用を奏する。
【００５０】
図８Ｂは図１から図６に示した構成のアイソレータ１の動作原理を示すものである。図８Ｂに示す回路に組み込まれているアイソレータ１は、符号▲１▼で示す第１ポートＰ１側から符号▲２▼で示す第２ポートＰ２方向への信号は伝えるが、符号▲２▼の第２ポートＰ２側から符号▲３▼の第３ポートＰ３側への信号は終端抵抗１３により減衰させて吸収し、終端抵抗１３側の符号▲３▼で示す第３ポートＰ３側から符号▲１▼で示す第１ポートＰ１側への信号は遮断する。
従って図８（Ａ）に示す回路に組み込んだ場合に先に説明した効果を奏することができる。
【００５１】
図９は、本発明に係る第２の実施の形態の非可逆回路素子に適用される電極部３５を示すもので、この形態の電極部３５において先の実施の形態の電極部１６と同じ構成要素には同一の符号を付してそれらの部分の説明を省略する。
この形態の電極部３５において先の実施の形態の電極部１６と異なるのは、第１の線路導体６と第２の線路導体７において共通電極１０の本体部１０Ａに対する付け根の部分の各々に前記第１の基部導体６ａと同じ程度の長さ（深さ）の凹部１０ｆを各々形成し、各線路導体６、７の線路長を更に長く形成した点に特徴がある。また、第３の線路導体８の付け根の部分にも先の凹部１０ｆと同等の長さ（深さ）の凹部１０ｇを形成することで第３の線路導体８の線路長も更に長くされている。
【００５２】
この図の実施の形態の如く、共通電極１０の本体部１０Ａに先の実施の形態よりも更に深い凹部１０ｆ、１０ｇを形成して線路導体６、７、８の実効の線路長を長くした構造を採用しても良い。この場合、凹部１０ｆ、１０ｇを形成した部分側まで絶縁層を配置し、各線路導体６、７、８を磁性体基板５の裏面側において個々に絶縁する構成とする必要がある。また、線路導体８は後述する実施の形態のごとく分割導体８ｂ１、８ｂ２を平行に、かつ、折曲もしくは湾曲して形成させても良い。
以上の構造を採用することで、中心導体６、７、８のインダクタンスが更に大きくなるので、共振容量の面積を小さくできる、換言するとコンデンサ基板１１、１２の面積を小さくできる効果があり、アイソレータ１としての全体の小型化に寄与する。
【００５３】
図は、本発明に係る第３の実施の形態の非可逆回路素子に適用される電極部３６を示すもので、この形態の電極部３６において先の第１の実施の形態の電極部１６と同じ構成要素には同一の符号を付してそれらの部分の説明を省略する。
この形態の電極部３６において先の実施の形態の電極部１６と異なるのは、第３の線路導体８０の中心導体８０ｂが分割導体８０ｂ１と８ｂ２に分割されている点であり、分割導体８０ｂ１は分割導体８ｂ２と非平行ではなく、分割導体８ｂ２に平行になるように屈曲されている。従って第３の中心導体８０ｂはＬ字型に形成されている。なお、第３の中心導体８０ｂは折曲（屈曲）された形状に記載されているが、湾曲された形状あるいは折り曲げ部分にアールが付けられた形状でも良いのは勿論である。更にこれらの分割導体はＬ字型に限らず、ジグザグ状、波形等に折曲された形状でも良いのは勿論である。
このような形状とした分割導体８０ｂ１、８ｂ２を備えた第３の線路導体８０を備えた構造であっても、線路導体８０ｂの実質的な導体長を長くして非可逆回路素子としての低周波化と小型化を両立させることができる。
【００５４】
図１１は本発明に係る非可逆回路素子（アイソレータ）の第４の実施の形態を示すもので、この形態のアイソレータ５０は、上ヨーク５１と下ヨーク５２とからなる閉磁気回路の内部に、換言すると、上ヨーク５１と下ヨーク５２の間に、４角板状の永久磁石からなる磁石部材５５とスペーサ部材５６と磁性組立体５７とコンデンサ板５８、５９、６０と終端抵抗６１とこれらを収容する樹脂ケース６２とを収容して構成されている。
前記磁性組立体５７は先の第１の実施の形態の電極部１６と同等の電極部１６が平面視略長方形状の磁性体基板６５に巻き付けられて構成されている。この磁性体基板６５は先の形態の横長の磁性体基板５とほぼ同じ形状であるが若干正方形状に近い長方形板状とされている。
図１１に示す構造のアイソレータ５０においても先の実施の形態のアイソレータ１と同等の効果を得ることができる。
【００５５】
図１２は磁性体基板の他の形態を示すもので、この形態の磁性体基板６０は平面視略長方形状で４つの角部にＬ字型の切欠状の受部６１を有する形状とされ、１つの受部６１を構成する２つ平面のうちの一方の平面が線路導体６を折り返すための受面６１ａとされ、他の１つの受部６１を構成する２つ平面のうちの一方の平面が線路導体７を折り返すための受面６１ｂとされ、これらの受面６１ａ、６１ｂにより電極部１６の第１の中心導体６ｂと第２の中心導体７ｂとが正確に折り返されるように構成されている。
この形態の磁性体基板６０においても平面視横長の略長方形状とされ、詳細には、相対向する長辺６０ａ、６０ａとそれらに直角方向に延在された短辺６０ｂ、６０ｂと先に説明した受部６１を構成する２つの辺とから平面視略長方形状の磁性体基板６０が構成されている。
この磁性体基板６０を用いることでも先の第１の実施の形態の場合と同様の効果を得ることができる。
【００５６】
図１３は磁性体基板の更に他の例を示すもので、この形態の磁性体基板７０は平面視略長方形状で４つの角部に平面状の受部７１を有し、短辺側が曲線とされた略レーストラック形状とされている。この形状も本発明においては略長方形状の概念に含めるものとする。より詳細には、磁性体基板７０は相対向する長辺７０ａ、７０ａとこれらの長辺７０ａ、７０ａの端部どうしを接続する楕円弧状の短辺７０ｂ、７０ｂとからなり、長辺７０ａ、７０ａの端部に形成された平面状の受部７１、７１と長辺７０ａにより先に説明した電極部１６の第１の中心導体６ｂと第２の中心導体７ｂと第３の中心導体８を正確に折り返しできるように構成されている。
この磁性体基板７０を用いることでも先の第１の実施の形態の場合と同様の効果を得ることができる。
【００５７】
【発明の効果】
以上説明したように本発明は、長方形のケース状のヨークの内部に、長方形状の磁性体基板と、該磁性体基板表面側の対角線に沿って配置される第１の線路導体と、該磁性体基板表面側の別の対角線に沿って配置される第２の線路導体と、該磁性体基板表面側の中央部に沿って配置される第３の線路導体と、前記磁性体基板の側方に配置される長方形状の複数のコンデンサ基板と、前記磁性体基板に対して磁界を印加するための磁石部材とが具備されてなり、前記第１の線路導体の先端に設けられた第１の線路導体の先端導体が、前記磁性体基板の一方の長辺側の一側端部において前記第１の線路導体の向きから方向を変えられて前記磁性体基板の短辺の延長線とヨーク内面に沿って設けられ、前記第２の線路導体の先端に設けられた第２の線路導体の先端導体が、前記磁性体基板の一方の長辺側の他側端部において前記第２の線路導体の向きから方向を変えられて前記磁性体基板の別の短辺の延長線とヨーク内面に沿って設けられ、前記複数の線路導体の各端部が前記コンデンサ基板に接続されてなり、前記磁性体基板の長辺に沿って前記磁性体基板の両側に前記コンデンサ基板が収納され、前記磁性体基板の短辺方向において、前記磁性体基板の幅が、前記ヨークの内幅よりも小さくなるように、磁性体基板の縦横比が２５％（１：４）以上、８０％（４：５）以下の範囲で形成され、前記磁性体基板の長辺方向において、磁性体基板の長さと前記ヨークの内幅がほぼ同じであるので、ヨーク内部の磁性体基板の周りの空間部にコンデンサ基板を収容することができる。
更に本発明は、前記磁性体基板の幅方向両側に配置された２つの前記コンデンサ基板のうち、一方の前記コンデンサ基板が前記複数の線路導体に接続された共通のコンデンサ基板とすることで必要とする容量を小さなコンデンサ占有面積で稼ぐことができる。
【００５８】
更に本発明は、線路導体の端部側を前記磁性体基板側から前記コンデンサ基板側にかけて巻き込み接続してなることで、線路導体を磁性体基板に対して押し付けることができるので、磁性体基板に対して複数の線路導体を密着させることができ、非可逆回路素子としての特性の安定化に寄与し、特性が良好で安定化された高品質の非可逆回路素子が得られる。
【００５９】
更に本発明において、分割導体どうしの重ねられた部分が平面視的に位置ずれされて配置される場合、磁性体基板の他面側において分割導体が平面視的に均等に収まり良く配置される。更に、第１の線路導体と第２の線路導体と第３の線路導体の分割導体どうしの重なり部分の全てが平面視的に位置ずれされていると、分割導体どうしが３本重ねられる部分が発生しないので、磁性体基板の他面側において分割導体の２本重なり部分と３本重なり部分の発生に起因する凹凸の発生が少なくなり、磁性体基板他面側における凹凸が少なくなる。
【００６０】
本発明において、線路導体の端部側が前記磁性体基板側から前記コンデンサ基板側にかけて巻き込み接続されてなることで、線路導体を磁性体基板に対して押し付けることができるので、磁性体基板に対して複数の線路導体を密着させることができ、非可逆回路素子としての特性の安定化に寄与し、特性が良好で安定化された高品質の非可逆回路素子が得られる。
【００６１】
線路導体を２本重ね部分のみとして、３本重ね部分を生じないようにすることにより、線路導体を重ねた部分に生じる山状の重なり部分の高さを低く均一化することができる。これにより、線路導体の重なり部分の全ての厚さを均一化できるので、磁石部材が線路導体を押さえる場合に全ての線路導体を均一に押さえ付けることができるようになり、磁性体基板に対する全ての線路導体の密着性を均一化することができ、非可逆回路素子としての特性安定化に寄与する。
【００６２】
本発明においてコンデンサ基板のうち、少なくとも１つを複数の線路導体に接続する共通のコンデンサ基板とすることで大きな容量を小さいなコンデンサ占有体積で稼ぐことができ、非可逆回路素子としての小型化に寄与する。
【図面の簡単な説明】
【図１】  図１Ａは本発明の第１の実施の形態に係るアイソレータの一部分を取り除いた状態を示す平面図、図１Ｂは同アイソレータの断面図である。
【図２】  図２は本発明に係るアイソレータに用いられる磁性体基板の一例を示す平面図。
【図３】  図３は本発明に係るアイソレータに用いられる電極部の展開図である。
【図４】  図４Ａは本発明に係るアイソレータの下ヨークを示す平面図、図４Ｂは同下ヨークの側面図である。
【図５】  図５は同アイソレータの上ヨークを示す側面図である。
【図６】  図６は同アイソレータに備えられるスペーサ部材の一例を示す斜視図である
【図７】  図７Ａは同アイソレータに備えられる共通電極とコンデンサ基板と磁性体基板との接続状態を示す略図、図７Ｂは図７Ａに示す構造の変形例を示す略図である。
【図８】  図８Ａはこの種のアイソレータが備えられる電気回路の一例を示す図、図８Ｂはアイソレータの動作原理を示す図である。
【図９】  図９は本発明に係るアイソレータの電極部の第２の例を示す図である。
【図１０】  図１０は本発明に係るアイソレータの電極部の第３の例を示す図である。
【図１１】  図１１は本発明に係るアイソレータの他の実施の形態を示す分解斜視図である。
【図１２】  図１２は本発明に係るアイソレータに適用される磁性体基板の他の例を示す平面図である。
【図１３】  図１３は本発明に係るアイソレータに適用される磁性体基板の別の例を示す平面図である。
【図１４】  図１４は従来の磁性組立体の一例を示す斜視図である。
【図１５】  図１５は従来の磁性組立体に適用されている電極部の展開図である。
【図１６】  図１６は従来のアイソレータの一例を示す分解斜視図である。
【符号の説明】
１…アイソレータ、２…上ヨーク、３…下ヨーク、４…磁石部材、５…磁性体基板、６…第１の線路導体、６ｂ…第１の中心導体、６ｂ１、６ｂ２…第１の分割導体、７…第２の線路導体、７ｂ…第２の中心導体、７ｂ１、７ｂ２…第２の分割導体、８…第３の線路導体、８ｂ…第３の中心導体、８ｂ１、８ｂ２…第３の分割導体、１１、１２…コンデンサ基板、１３…終端抵抗（抵抗素子）、１６…電極部、１８、１９…スリット部、２１、２２…支持片、３０…スペーサ部材、３１ａ…脚部（凸部）、３１ｂ…収納凹部、３１ｃ…透孔、４０…電極部、５０…アイソレータ、６０、７０…磁性体基板、Ｌ１、Ｌ２…対角線。
【図１】
0003697410.tif 000002
【図２】
0003697410.tif 000003
【図３】
0003697410.tif 000004
【図４】
0003697410.tif 000005
【図５】
0003697410.tif 000006
【図６】
0003697410.tif 000007
【図７】
0003697410.tif 000008
【図８】
0003697410.tif 000009
【図９】
0003697410.tif 000010
【図１０】
0003697410.tif 000011
【図１１】
0003697410.tif 000012
【図１２】
0003697410.tif 000013
【図１３】
0003697410.tif 000014
【図１４】
0003697410.tif 000015
【図１５】
0003697410.tif 000016
【図１６】
0003697410.tif 000017